(57)【要約】【課題】  三脚に固定する際に螺子止め部分が破損し難くする。【解決手段】  三脚を取り付けるための螺子穴76を底部に備え、前記螺子穴76に三脚を接続する際に、所定以上に固定螺子を締め付けると固定螺子を空転させて所定以上に締め付けを行わせない螺子受け部50を底部内側に備えた撮像装置とする。【選択図】    図１
2008250025.tif 000002
【特許請求の範囲】
【請求項１】
三脚を取り付けるための螺子穴を底部に備え、前記螺子穴に三脚を接続する際に、所定以上に固定螺子を締め付けると前記固定螺子を空転させて所定以上に締め付けを行わせない螺子受け部を底部内側に備えたことを特徴とする撮像装置。
【請求項２】
前記螺子受け部は、外筒部と内筒部を備え、前記内筒部の内面には雌螺子部を有して該内筒部が弾性体により前記外筒部内に保持されていることを特徴とする請求項１に記載した撮像装置。
【請求項３】
前記外筒部の内面と前記内筒部の外面には、当該内筒部の回転抵抗及び回転方向を規制する回転制御機構を備えることを特徴とする請求項２に記載した撮像装置。
【請求項４】
前記回転制御機構は、カム突起とカム穴で構成され、カム突起はカム傾斜面を有して前記内筒部の上面に形成され、カム穴は前記外筒部の上端部内面に形成されて前記カム突起が嵌入可能とされていることを特徴とする請求項３に記載した撮像装置。
【請求項５】
前記カム突起は、内筒部の内筒天板部周縁に略等間隔に複数個が設けられていることを特徴とする請求項４に記載した撮像装置。
【請求項６】
前記カム突起は前記内筒天板部から垂直に立ち上がる前立上げ部及び後立上げ部を円周方向に有し、前記後立上げ部の高さを前記前立上げ部の高さよりも高くして上面にカム傾斜面を有することを特徴とする請求項４又は請求項５に記載した撮像装置。
【請求項７】
前記カム突起は、前記前立上げ部に連接する前記カム傾斜面を有すると共にこのカム傾斜面と前記後立上げ部との間に内筒天板部と平行な頂面を有することを特徴とする請求項４乃至請求項６の何れかに記載した撮像装置。
【請求項８】
前記弾性体は弦巻バネであることを特徴とする請求項２乃至請求項７の何れかに記載した撮像装置。
【請求項９】
前記弦巻バネの端部は、面取りが施されていることを特徴とする請求項８に記載した撮像装置。
【請求項１０】
前記外筒部と内筒部は円筒形であることを特徴とする請求項２乃至請求項９の何れかに記載した撮像装置。
【請求項１１】
前記内筒部の外周に前記弾性体が配置され、中央に雄螺子を貫通させる螺入穴を備えた固定リングを前記外筒部の下端に設けて内筒部と共に外筒部に収納した弾性体を圧縮支持していることを特徴とする請求項２乃至請求項１０の何れかに記載した撮像装置。
【請求項１２】
前記外筒部は外筒本体部の外周に係合突起を備え、前記固定リングは前記外筒部に外接して前記係合突起が嵌合される係合穴を備えた係止片を有することを特徴とする請求項１１に記載した撮像装置。
【請求項１３】
前記係止片は、上端に外方に傾斜したテーパー部を備えることを特徴とする請求項１２に記載した撮像装置。
【請求項１４】
前記外筒本体部の開口端外周には取付け穴を備えたフランジ部を有することを特徴とする請求項２乃至請求項１３の何れかに記載した撮像装置。
【請求項１５】
前記取付け穴は複数個として前記外筒本体部の外周において略等間隔に配置されていることを特徴とする請求項１４に記載した撮像装置。
【発明の詳細な説明】
【技術分野】
【０００１】
本発明は、カメラ等の撮像装置に関するものである。
【背景技術】
【０００２】
今日、カメラにはフィルムカメラの他、ポケットカメラと称されるデジタルカメラ、携帯電話に搭載されたカメラ、更に携帯を容易とした小型ビデオカメラなどの種々のカメラがあり、これらのカメラなどが撮像装置として用いられている。
これらの撮像装置では、内部に光学機構や電子装置、機械的部品が収納され、これらの部品を保護する為にケースに強度を持たせつつ軽量化を図る為、種々の工夫が行われており、フィルムカメラでは、開閉操作が頻繁に行われるカートリッジ室のカバー強度を向上させつつ操作性を改善する提案がなされている（例えば特許文献１）。
【０００３】
又、これらの撮像装置では、小型且つ軽量として片手で手軽に取り扱うことができるようにされているものや、底面には三脚を取り付ける螺子穴を設けたものも多い。
このように、撮像装置としてのカメラは、底部に三脚取り付け用の螺子穴が設けられ、三脚に固定した状態での撮影も可能とされており、三脚におけるカメラ取付け台の上面には、多くの場合、カメラケースに傷を付けないようにする為にコルクやラバーなどのクッション性を有するスペーサー部材が張り付けられている。
【特許文献１】特開平７−１５９８９６号公報
【発明の開示】
【発明が解決しようとする課題】
【０００４】
前述の様に、小型カメラでは軽量化のために筐体であるカメラケースも最小必要限度の強度として薄肉化されている。又、三脚のカメラ取付け台上面には弾力性を有するスペーサー部材が設けられている。この為、三脚に設けられている固定螺子を強く締め上げると、スペーサー部材が圧縮されてカメラケースの三脚用螺子穴の周辺が強く引っ張られ、カメラケースが破損し、カメラの概観や性能に影響を及ぼすおそれもあった。
【０００５】
本発明は、この様な点を鑑み、この装置を三脚に固定する際に螺子止め部分が破損し難い撮像装置を提供するものである。
【課題を解決するための手段】
【０００６】
本発明は、三脚を取り付けるための螺子穴を底部に備え、前記螺子穴に三脚を接続する際に、所定以上に固定螺子を締め付けると固定螺子を空転させて所定以上に締め付けを行わせない螺子受け部を底部内側に備えた撮像装置とするものである。
【０００７】
そして、この螺子受け部は、外筒部と内筒部を備え、内筒部の内面に雌螺子部を有して弾性体により内筒部が外筒部内に保持されるものである。
更に、外筒部の内面と内筒部の外面には内筒部の回転抵抗及び回転方向を規制する回転制御機構を備えるものである。
【０００８】
この回転制御機構としては、内筒部の上面にカム傾斜面を備えたカム突起を有し、外筒部上端部の内面にはこのカム突起が嵌入可能なカム穴を有するものである。
又、カム突起は、内筒部の内筒天板部周縁に複数個を略等間隔に設けるものであり、カム突起は内筒天板部から垂直に立ち上がる前立上げ部及び後立上げ部を円周方向に有し、後立上げ部の高さを前立上げ部の高さよりも高くして上面にカム傾斜面を有するものである。
【０００９】
尚、このカム突起は、前立上げ部に連接するカム傾斜面を有すると共にカム傾斜面と後立上げ部との間に内筒天板部と平行な頂面を有することが好ましい。
又、弾性体としては弦巻バネを用い、この弦巻バネの端部は面取りを施しておくことが好ましく、内筒部の外周に弾性体が配置され、中央に雄螺子を貫通させる螺入穴を備えた固定リングを外筒部の下端に設けて内筒部と共に外筒部に収納される弾性体を圧縮支持するものであり、この内筒部と外筒部は円筒形であることが好ましい。
【００１０】
更に、外筒部は外筒本体部外周に係合突起を備え、固定リングは外筒部に外接して係合突起が嵌合される係合穴を備えた係止片を有することが好ましく、係止片は、上端に外方に傾斜したテーパー部を備えることが好ましい。
そして、外筒本体部の開口端外周には取付け穴を備えたフランジ部を形成し、取付け穴は複数個として外筒本体部の外周において等間隔に配置するものである。
【発明の効果】
【００１１】
本発明は、この装置を三脚に固定する際に螺子止め部分を破損し難くすることができる。
【発明を実施するための最良の形態】
【００１２】
本発明に係る撮像装置の最良の形態は、三脚を取り付けるための螺子穴を底部に備え、螺子受け部を撮像装置の底部内側に備え、この螺子受け部は、円筒状の外筒部と内筒部により構成されて内筒部の内面に雌螺子部を有し、弾性体により内筒部が外筒部内に保持されるものである。
【００１３】
更に、外筒部の内面と内筒部の内面には内筒部の回転抵抗及び回転方向を規制する回転制御機構を備えるものであり、この回転制御機構としては、内筒部の上面のカム突起と、外筒部の上端部内面に設けたカム突起が嵌入可能なカム穴により形成するものである。
【００１４】
そして、カム突起は、内筒部の内筒天板部周縁に複数個を等間隔に設けるものであり、内筒天板部から垂直に立ち上がる前立上げ部及び後立上げ部を円周方向に有し、後立上げ部の高さを前立上げ部の高さよりも高くして前立上げ部に連接するカム傾斜面を有すると共にカム傾斜面と後立上げ部との間に内筒天板部と平行な頂面を有するものである。
【００１５】
又、弾性体としては弦巻バネを用い、内筒部の外周に弦巻バネを配置して中央に雄螺子を貫通させる螺入穴を備えた固定リングを外筒部の下端に設けて外筒部に収納された弦巻バネを圧縮支持するものである。
【００１６】
更に、外筒部は外筒本体部外周に係合突起を備え、固定リングには、外筒部に外接し且つ係合突起が嵌合される係合穴を備えた係止片を設けることが好ましく、係止片は、上端に外方に傾斜したテーパー部を備えることが好ましい。
【００１７】
そして、外筒本体部の開口端外周には取付け穴を備えたフランジ部を形成し、２個の取付け穴を外筒本体部の外周において対称の位置に配置するものである。
【実施例】
【００１８】
本発明に係る撮像装置の実施例は、図１に示すように、カメラケースを構成する前ケース11と後ケース15を備え、レンズ鏡筒21の内部に撮像光学系のレンズ群を内蔵するものであり、前ケース11の底部25と後ケース15の底部26との接合部には、前ケース11及び後ケース15に各々半円形の切欠き13,17を有して該切欠き13,17の位置の内側に螺子受け部50を組み込むものである。
【００１９】
尚、図１には図示していないが、前ケース11と後ケース15により形成するカメラ筐体の内部には撮像素子やマイクロコンピュータ、メモリ等によるカメラ機構が組み込まれることはいうまでもない。
【００２０】
この螺子受け部50は、図１乃至図３に示されるように、ビス29によりカメラケースの底部25,26内側に固定されるものであり、前ケース11と後ケース15の接合部に各々形成した半円形の切欠き13,17により形成される円形の貫通穴27の内部に螺子受け部50を位置させてカメラの底部25,26に形成された貫通穴27の内側に雌螺子部75を有する螺子穴76が形成されるものである。
【００２１】
この螺子受け部50は、図４および図５に示すように、円筒状の外筒本体部53を有する外筒部51の内部に円筒状の内筒部71を収納しているものであり、この内筒部71の内周に雌螺子部75が形成されて内筒部71の内部を螺子穴76としているものである。又、この内筒部71の外周に弾性体77である弦巻バネを配置して固定リング91により内筒部71と弾性体77を外筒部51の内部に収納固定しているものである。
【００２２】
このように、螺子受け部50を外筒部51と内筒部71とで構成し、外筒部51の内部に内筒部71や弾性体77を収納しているため、内筒部71を弾性体77により外筒部51の内壁に圧接させつつ外筒部51に対して内筒部71を回転可能とし、ひいては内筒部71の雌螺子部75に螺入される固定螺子35を空転させることができる。
【００２３】
そしてこの外筒部51は、円筒状の外筒本体部53を有し、外筒本体部53の下方を開口して外筒本体部53の下端外周には板状に突出するフランジ部57を対向する両側に有し、このフランジ部57にビス29を螺入する取付け穴59を有するものであって、両フランジ部57の中間にして外筒本体部53の下端近傍における外周には、外筒本体部53の外周面から突出する係合突起67を有するものであり、外筒本体部53の上端には円板状の外筒上端部55を備え、この外筒上端部55の内面に後述するカム穴61が設けられているものである。
【００２４】
尚、係合突起67は、その上面を外筒本体部53の外周面から略垂直として開口端と平行な平面を有するも、下方にはテーパー面69を有して外筒本体部53への取付け部分の上下方向幅を先端部よりも広くしているものである。
【００２５】
又、内筒部71は内面に雌螺子部75が形成された円筒状の内筒本体部73を有し、内筒本体部73の上端に内筒本体部73の直径よりも大きな直径の円形板状とされる内筒天板部74を有し、この内筒天板部74の直径を外筒本体部53の内径と略等しくして内筒天板部74の上面には内筒天板部74の外周に沿ってカム突起81を等間隔に有するものである。
【００２６】
このカム突起81は、図６に示すように、内筒天板部74の円周方向に沿って内筒天板部74から垂直に立ち上がる前立上げ部82と後立上げ部83を有し、後立上げ部83の上端からは内筒天板部74と平行な頂面85を有し、前立上げ部82の上端には内筒天板部74に対して傾斜するカム傾斜面84を有してカム傾斜面84の後方を頂面85に連接して後ろ立ち上げ部の高さを前立上げ部82の高さよりも高くしているものである。
【００２７】
尚、前立上げ部82は、内筒部71に螺入する三脚のカメラ取付け台30に遊嵌された固定螺子35である雄螺子の回転方向に合わせてカム突起81の側面に形成するものであり、固定螺子35を捩じ込む際の回転方向を前方とするように前立上げ部82を形成し、前立上げ部82や後立上げ部83は内筒天板部74の中心から放射状とされる平面としているものである。
【００２８】
そして、弾性体77とする弦巻バネは、内径が内筒本体部73の外径よりも僅かに大きく、外径は内筒天板部74の外径と略等しくし、軸方向長さを内筒本体部73の軸方向長さよりも長くして上端部78や下端部79の端部は面取り又は丸め処理を行って角を落としているものである。
【００２９】
更に、この螺子受け部50は三脚の固定螺子35が貫通する螺入穴93を中央に備える環状の固定リング91を有するものであり、螺入穴93の直径は弾性体77とした弦巻バネの直径よりも小さくすることにより弾性体77の下端を支持するようにして弦巻バネを圧縮状態で外筒部51の内部に収納固定するものであり、固定リング91の外周には、上方に延設される板状の係止片95を対向する両側に有するものである。
【００３０】
この両係止片95の間隔は外筒本体部53の外径と等しくして係止片95が外筒本体部53の外周に接するようにしているものであり、外筒本体部53の外周に設けた係合突起67と外筒本体部53の下端との距離に等しい距離だけ固定リング91の上面から離れた位置に係合突起67が挿入される大きさの係合穴97を有するものである。又、両係止片95の上端には外側に傾斜するテーパー部99を設けて係止片95上端相互間の距離を広くしているものである。
【００３１】
従って、外筒部51に内筒部71を挿入し、内筒本体部73と外筒本体部53との空間に弾性体77である弦巻バネを挿入して固定リング91の係止片95を外筒本体部53の係合突起67位置に合わせて係止片95を外筒本体部53に外接させた状態で固定リング91を外筒部51の方向に押圧すれば、弦巻バネである弾性体77を圧縮させて係止片95を上昇させることができる。
【００３２】
そして、弾性体77を圧縮させつつ固定リング91を押し上げて係止片95のテーパー部99が係合突起67のテーパー面69に当接されると係止片95が外筒本体部53から離れ、更に固定リング91を押し上げて係合突起67が係合穴97に位置したとき、係止片95は外筒本体部53の外周に接して係合突起67により固定リング91を外筒部51に固定することができる。
【００３３】
このように、固定リング91を外筒部51の開口端である下端に設けて内筒部71や弾性体77を外筒部51に収納する故、固定リング91により内筒部71や弾性体77が外筒部51から脱落することを防止し、固定リング91の係止片95に係合突起67と係合する係合穴97を設けているため、固定リング91を外筒部51に確実に固定することができ、係合突起67にテーパー面69を形成し且つ係止片95にテーパー部99を形成しているため、固定リング91を容易に外筒部51に固定することができる。
【００３４】
そして、弾性体77を圧縮状態としつつ弾性体77と内筒部71を外筒部51に収納固定したとき、内筒天板部74の上面に設けたカム突起81は、図７に示すように、外筒上端部55の内面に設けたカム穴61に挿入されているものである。
【００３５】
この外筒上端部55の内面に設けたカム穴61は、カム突起81の形状に合わせてカム突起81のカム傾斜面84に対応するカム穴傾斜部64を有し、カム突起81の前立上げ部82よりも僅かに高い前障壁62とカム突起81の後立上げ部83よりも僅かに高い後障壁63を有してカム突起81よりも僅かに大きな窪みとして外筒上端の内面に形成されているものである。
【００３６】
従って、図７に示したように、撮像装置の底部25,26に三脚のカメラ取付け台30を当接し、三脚の固定螺子35の先端を底部25,26の貫通穴27から挿入して内筒部71の螺子穴76に螺入し、固定螺子35の頭部37がカメラ取付け台30の裏面に接した後は、固定螺子35を回転させると図８に示すように頭部37がカメラ取付け台30の裏面に圧接されると共に内筒部71が弾性体77である弦巻バネを圧縮して降下することになる。
【００３７】
このように、内筒部71が降下するとき、図９の（Ａ）に示すように、カム突起81の前立上げ部82がカム穴の前障壁62に接しているときは内筒部71の回転を阻止して大きな回転抵抗を与えているも、内筒部71が前立上げ部82の高さだけ降下したとき、カム突起81のカム傾斜面84の下端がカム穴61の前障壁62の下端と接し、その後僅かに内筒部71が降下するとカム突起81のカム傾斜面84が前障壁62の下端に接することになる。
【００３８】
従って、雄螺子の回転力により内筒部71もカム傾斜面84の傾斜により図９の（Ｂ）に示すように弾性体77を圧縮するように降下回転が可能となって回転抵抗が小さくなり、図９の（Ｃ）に示すようにカム穴61から外れて内筒部71が回転することにより固定螺子35を空転させることになる。
【００３９】
このようにして、カム突起81の前立上げ部82の高さと弾性体77の反発力による一定の力以上では螺子受け部50を下方に引っ張ることができず、螺子受け部50ひいては撮像装置の底部25,26を三脚のカメラ取付け台30に過大に押し付けることを防止し、スペーサー部材31を大きく圧縮させることがなく、容易に安定した一定の力で撮像装置をカメラ取付け台30に押圧することにより、確実に撮像装置を固定することができる。
【００４０】
このように、カム突起81及びカム穴61により回転制御機構を形成し、内筒部71の回転方向や回転抵抗を規制しているため、固定螺子35の締め上げ力を一定として撮像装置を三脚に固定することができ、又、カム突起81及びカム穴61を円周方向に等間隔としているため、回転抵抗の規制を安定した状態で行うことができる。
【００４１】
尚、内筒部71が雄螺子である固定螺子35と共に回転するとき、弦巻バネの上端部78や下端部79に面取り等の処理を施して角を落としているため、内筒天板部74の下面と弦巻バネの上端部78とが圧接状態でずれる場合にも、焼入れされたバネの端部により内筒天板部74の下面を傷付けることを防止できる。
【００４２】
又、カム突起81も、前立上げ部82に連接されたカム傾斜面84と後立上げ部83との間に内筒天板部74と平行な頂面85を有しているため、内筒部71が外筒部51に対して回転するとき、頂面85が外筒上端部55の内面に面で接触して固定螺子35の空転を安定させることができる。尤も、頂面85を設けることなく前立上げ部82から後立上げ部83までをカム傾斜面84とすることもできる。
また、このカム突起の形状は上記に限定されるものではなく、要は、前立上げ部82よりも後立上げ部83の方が高い状態となっていれば良い。例えばカム傾斜面84は曲面で構成されていても良い。
【００４３】
そして、撮像装置をカメラ取付け台30から外すときは、固定螺子35を逆回転させると、カム突起81の後立上げ部83を前立上げ部82よりも高くしているため、カム傾斜面84がカム穴61の前障壁62に接する高さであっても、図９の（Ｄ）に示すように、カム突起81の後立上げ部83の上端がカム穴61の後障壁63下端に接して内筒部71の回転を阻止し、固定螺子35を緩めることができるものである。
【００４４】
尚、図５などに示した実施例は、弾性体77として弦巻バネを用いているも、弾性体77は弦巻バネに限ることなく、円筒状のゴムや弾性変形可能な合成樹脂を用いることもできる。
尤も、弦巻バネを用いれば、長期間に亘って安定した一定の圧縮力を持続させることができる。
【００４５】
更に、図面に示した実施例では、内筒部71における天板部74の上面に設けたカム突起81と外筒上端部55の内面に設けたカム穴61により内筒部71の回転抵抗及び回転方向を規制する回転制御機構としているも、回転制御機構は、カム突起81とカム穴61に限るものでなく、内筒本体部73の外周に軸方向である上下方向に溝を設け、外筒本体部53の内周には円周方向に傾斜角の異なる傾斜面を備えた突起を弾性的に突出させて溝に突起が係合し、内筒部71の回転抵抗及び回転方向を規制するようにすることもある。
【００４６】
そして、図面に示したフランジ部57及び取付け穴59は外筒部51の両側に配置するように２個を設けているも、取付け穴59の個数は２個に限るものでなく、等間隔として複数個を設けることがあり、外筒本体部53外周に設ける係合突起67も２個に限るものでない。
【００４７】
このように、外筒部51の開口端部近傍の外周にフランジ部57を設けて取付け穴59を形成しておけば、この螺子受け部50を撮像装置の底部内側に固定することが容易であって、取付け穴59を等間隔とすれば螺子受け部50の固定を安定した状態とすることができる。
【００４８】
尚、本発明は、以上の実施例に限定されるものでなく、発明の要旨を逸脱しない範囲で自由に変更、改良が可能である。
例えば、外筒部と内筒部は円筒形であるように記載しているがこれに限らず、楕円や直方体であっても良い。これにより設計の自由度が増す。しかしその中で円筒形であることにより、弾性体に、コストと性能の両面に優れている円状に巻き上げた弦巻バネを採用しやすくなるというメリットがある。
【図面の簡単な説明】
【００４９】
【図１】本発明に係る撮像装置のケースの分解斜視図。
【図２】本発明に係る撮像装置の底面図。
【図３】本発明に係る撮像装置の内部機構を省略した垂直断面図。
【図４】本発明に係る撮像装置の螺子受け部を示す斜視図。
【図５】本発明に係る撮像装置の螺子受け部の分解斜視図。
【図６】本発明に係る撮像装置の螺子受け部の内筒部を示す斜視図。
【図７】本発明に係る撮像装置の螺子受け部に固定螺子を螺入した状態を示す図。
【図８】本発明に係る撮像装置の螺子受け部により取付け台に固定した状態を示す図。
【図９】本発明に係る撮像装置の螺子受け部による固定螺子の空転状態を示す図。
【符号の説明】
【００５０】
１１  前ケース                      １３  切欠き
１５  後ケース                      １７  切欠き
２１  レンズ鏡筒                    ２５、２６  底部
２７  貫通穴                        ２９  ビス
３０  カメラ取付け台                ３１  スペーサー部材
３５  固定螺子                      ３７  頭部
５０  螺子受け部
５１  外筒部                        ５３  外筒本体部
５５  外筒上端部                    ５７  フランジ部
５９  取付け穴
６１  カム穴                        ６２  前障壁
６３  後障壁                        ６４  カム穴傾斜部
６７  係合突起                      ６９  テーパー面
７１  内筒部                        ７３  内筒本体部
７４  内筒天板部                    ７５  雌螺子部
７６  螺子穴
７７  弾性体                        ７８  上端部
７９  下端部
８１  カム突起                      ８２  前立上げ部
８３  後立上げ部                    ８４  カム傾斜面
８５  頂面
９１  固定リング                    ９３  螺入穴
９５  係止片                        ９７  係合穴
９９  テーパー部
【図１】
2008250025.tif 000003
【図２】
2008250025.tif 000004
【図３】
2008250025.tif 000005
【図４】
2008250025.tif 000006
【図５】
2008250025.tif 000007
【図６】
2008250025.tif 000008
【図７】
2008250025.tif 000009
【図８】
2008250025.tif 000010
【図９】
2008250025.tif 000011